(57)【特許請求の範囲】
【請求項１】
インクジェット方式によって記録を行い、コピー機能とファクシミリ機能とを有する記録装置において、
ファクシミリ受信画像記録用の記録紙よりサイズが小さい記録紙にコピーを行うように設定する設定手段と；
上記記録装置の使用者が上記設定を選択している場合、上記設定が解除されるまでの間にファクシミリを受信すると、受信データを印字せずに記憶手段に記憶し、上記設定が解除された後に、印字を行う制御手段と；
を有することを特徴とする記録装置。
【請求項２】
インクジェット方式によって記録を行い、コピー機能とファクシミリ機能とを有する記録装置において、
ファクシミリ受信画像記録用の記録紙よりサイズが小さい記録紙にコピーを行うように設定する設定手段と；、
上記記録装置の使用者が上記設定を選択している場合、上記設定が解除されるまでの間にファクシミリを受信すると、ファクシミリ通信をエラー終了する制御手段と；
を有することを特徴とする記録装置。
【発明の詳細な説明】
【０００１】
【発明の属する技術分野】
本発明は、記録装置に関するものである。
【０００２】
【従来の技術】
インクジェット方式によって記録を行い、記録紙の移動方向に配列され、インクを吐出する複数のノズルを具備する印字ヘッドを、上記記録紙の移動方向と垂直の方向とに移動し、複数ラインの記録を行い、コピー機能とファクシミリ機能とを有する記録装置が知られている。
【０００３】
このような装置においては、印字すべき記録紙の幅よりも狭い幅の記録紙がセットされた場合、記録紙が存在しない部分、すなわちプラテンローラにインクを吐出する（プラテン印字）。
【０００４】
上記プラテン印字を行うと、次に紙がそこを通過した際に、プラテンから記録紙にインクが転写され、記録紙の裏側が汚れる。
【０００５】
また、上記のような記録装置を使用し、コピーとファクシミリとの機能を持つ装置が存在する。
【０００６】
従来から、ファクシミリ装置では、通信時の原稿サイズがＩＴＵ−Ｔ勧告で定められ、受信側がサポートすべき記録紙サイズもおのずと決まっている。
したがって、複数種類の記録紙サイズを使用できる装置において、記録部にセットされている記録サイズの判定方法としては、次の方法が知られている。つまり、記録部にセットしてある記録紙サイズを予め記録装置に登録しておくか、または、記録装置が記録可能な記録紙サイズの範囲の中で、ＩＴＵ−Ｔ勧告されている記録紙サイズを判定するセンサを設け、記録紙サイズを判定するという方法が知られている。
たとえば、Ｂ４の記録幅がある場合は、Ｂ４サイズとＡ４サイズとの判定を行うセンサを設ける。したがって、たとえばＡ４幅を超えるために、記録できない記録装置では、記録紙サイズを判定する必要がない。
【０００７】
また、ファクシミリ装置では、一般的に「自動受信」、すなわち着信が有り、相手がファクシミリ送信であった場合、ユーザが何も操作を行わなくても、受信したデータを印字する処理が一般的である。
【０００８】
一方、コピー機能においては、様々なサイズの記録紙が使用される。たとえば、はがきが記録紙として使用される。記録紙としてはがきを使用する場合、はがきの幅よりも外側に印字しないように、記録紙サイズの設定をユーザが予め行うようになっている。つまり、たとえば「はがきコピーモード」をユーザが予め設定する。このように、ユーザが、たとえばはがきコピーモードを設定した場合、印字の幅がはがきの幅を超えないように制限される。
【０００９】
【発明が解決しようとする課題】
上記記録装置において、たとえばユーザが「はがきコピーモード」を選択し、はがきコピーを行った後、その状態のまま放置すると、ファクシミリの自動受信動作が行われ、受信データをそのまま印字する。つまり、上記の場合、はがきサイズの記録紙がセットされているのに、受信したデータをＡ４幅で印字し、したがって、プラテン印字を行うという問題があり、また、プラテン印字した部分の受信画像が欠落するという問題がある。
【００１０】
上記のようにプラテン印字をした場合、その後、その部分に記録紙が通過すると、インクが転写されるだけでなく、状態が悪い場合は、半がわき状態のインクに紙が張り付き、記録紙詰まりを起こすこともあるという問題がある。
【００１１】
また、そのまま放置し、インクが固まると、プラテンローラの表面が凸凹になる可能性もある。
【００１２】
これを回避するためには、記録紙幅を検出するセンサを新たに設けなければならず、コストが上昇するという問題がある。
【００１３】
本発明は、ファクシミリ受信画像の記録に適さないサイズの記録紙が記録部にセットされているときに、ファクシミリの受信があった場合、記録紙幅を検出する手段を新たに設けることなく、プラテンヘのインクの吐出を防ぐことができ、また、ファクシミリ受信画像の記録を行わなかったときに、受信データの喪失を防止することができ、通信の確実性を維持することができる記録装置を提供することを目的とするものである。
【００１４】
また、本発明は、ファクシミリ受信画像の記録を行わなかったときに、送信側に送信が失敗したことを通知することができる記録装置を提供することを目的とするものである。
【００１５】
【課題を解決するための手段】
請求項１記載発明は、ファクシミリ受信画像記録用の記録紙とは異なる小サイズの記録紙を用いてコピーを行う設定を設け、ユーザが上記設定を選択した場合、上記設定が解除されるまでの間にファクシミリを受信すると、受信データを印字せずに、記憶手段に記憶し、上記設定が解除された後に、印字を行うようにしたものである。
【００１６】
また、請求項２記載発明は、記録装置がファクシミリ受信画像記録用の記録紙とは異なる小サイズの記録紙を用いてコピーを行う設定がされている場合は、ファクシミリ通信をエラー終了するようにしたものである。
【００１７】
【発明の実施の形態および実施例】
図１は、本発明の一実施例である記録装置における記録部の構成を示す図である。
【００１８】
上記記録部において、インクカートリッジ部２０１は、記録ヘッド２０２とインクタンク２０３とを有する。記録ヘッド２０２には、インク滴を吐出する数個のノズルが、図１中、Ｇ方向に配列され、制御部によって指定された位置に、インクを吐出する。
インクタンク２０３は、インクを貯蔵し、ヘッドに供給するものであり、交換が可能である。カートリッジ部２０１には、インクタンク２０３の着脱を検知する手段が設けられている。
【００１９】
インクカートリッジ部２０１がガイドシャフト２０４にそって、インクを吐出しながら、プラテンローラ２０８上を、図１中、Ｈ方向に移動することによって、数ラインの記録を行う。なお、ここでは、インクカートリッジ部２０１が片道だけ移動することによって記録する数ラインを１ブロックと表現する。上記移動手段は、図示しないモータ等によって構成されている。
【００２０】
カートリッジ位置センサ２０５は、透過型のフォトインタラプタが用いられ、カートリッジ部２０１に設けられた遮光板２０６がその光路を遮ることによって、カートリッジ部２０１の位置が検知される。この検知信号は制御部に送信され、制御部は、この検地された位置を基準として、インクカートリッジ部２０１の位置、印字位置の制御を行う。
【００２１】
１ブロック（インクカートリッジ部２０１が片道だけ移動することによって記録する数ライン）を記録した後、記録紙２０７をＧ方向に移動させる。引き続き、次のブロックを印字する。これを印字終了またはぺ一ジ後端まで繰り返す。なお、上記移動手段は、図示しないモータ等によって構成されている。
【００２２】
記録紙有無の検知手段２０９は、印字位置よりも上流側に設置され、記録紙２０７がセンサ位置に達してから排出されるまで信号を出力する。
【００２３】
図２図は、上記実施例における記録紙検知手段２０９の一例を表す図である。
【００２４】
記録紙検知手段２０９は、フォトインタラプタ３０１、アクチュエータ３０２によって構成される。
【００２５】
アクチュエータ３０２は、記録紙無しの状態で記録紙流路に設けられた穴に落ち込むようになっており、このときに、遮光板３０２は、フォトインタラプタ３０１の光路を遮っていない（図２図（１））。
【００２６】
記録紙２０７が搬送され、アクチュエータ３０２の部分に記録紙２０７がかかった状態では、遮光板２０６は、フォトインタラプタ３０１の光路を遮る（図２図（２））。
【００２７】
したがって、フォトインタラプタ３０１の出力を見ることによって、記録紙２０７の有無を検知することができる。
【００２８】
図３は、上記実施例である記録装置を示すブロック図である。
【００２９】
制御部４０１は、装置全体を制御し、ＣＰＵと、制御プログラムや各種データを記憶しているＲＯＭと、各種データの一時的な保存等に使用されるＲＡＭ等によって構成されている。
【００３０】
カートリッジ部４０２には、制御部４０１から制御信号と画像信号とが送られ、それにしたがって、記録ヘッドがインクを吐出する。
【００３１】
記録紙センサ４０３は、記録紙有無の情報を出力する。
【００３２】
キャリッジモータ４０４は、インクカートリッジ部を移動させるものであり、搬送モータ４０６は、記録紙を移動させるものである。いずれも、制御部からモータ駆動回路４０５を経由した信号によって駆動される。
【００３３】
カートリッジ位置センサ４０７は、フォトインタラプタの出力を制御部４０１に送出するものである。
【００３４】
操作パネル４０８には、使用者が種々の操作や指示を行うためのスイッチ類と、メッセージ表示を行うための表示装置（通常はＬＣＤパネル等）が設けられている。
【００３５】
制御部４０１は、インターフェイス部４０９を介して、外部コンピュータから記録命令や記録画像データを受信するとともに、インク切れ等、記録装置の状態に関するデータを外部コンピュータに送信する。
【００３６】
スキャナ部４１０において、センサ４１１が原稿画像を読み取り画像処理部４１２が画像を適当なデータに変換して出力する。コピーの場合は、その画像が記録部によって記録され、ファクシミリ送信の場合は、通信制御部４１６を介して送信される。また、原稿搬送のためのモータ４１４と、その駆動回路４１３とが設けられている。
【００３７】
通信制御部４１６は、上記記録装置がファクシミリ装置として使用される場合、これを介してデータが送受信される。
【００３８】
次に、上記実施例である記録装置の記録動作について説明する。
【００３９】
図４は、上記実施例である記録装置の動作を示すフローチャートである。
【００４０】
このフローチャートは、上記実施例である記録装置がファクシミリの自動受信モード状態で受信した場合における動作を示すものである。
【００４１】
小サイズの記録紙を使用するモードとしては、たとえば「はがきコピーモード」等が考えられる。
【００４２】
使用者は、はがきコピーを行いたい場合、まず記録紙としてはがきをセットし、原稿をセットした後に、操作部に設けられたスイッチによって、「はがきコピーモード」を選択する。モード選択のスイッチは、専用のスイッチでなくても、他のスイッチと兼用したスイッチでもよい。
【００４３】
このモードが選択された後、「コピー」スイッチによってコピー動作が開始される。この場合、はがきの幅よりも外側に印字しないように制御される。コピー終了後、通常の場合、使用者は、記録紙をファクシミリ受信画像記録用の記録紙に戻し、「はがきコピーモード」を解除する。「はがきコピーモード」の解除は専用、または兼用のスイッチを設けてもよいし、使用者が他のモード（たとえばＦＡＸモード）への移行を選択したことによって、解除するようにしてもよい。
【００４４】
「はがきコピーモード」が選択された場合、記録装置は、「はがきコピーモード」であることを記憶しておく。たとえば、メモリ上の所定の位置にフラグを設け、このフラグをＯＮにする。また、何らかの方法によって「はがきコピーモード」が解除されたときは、上記フラグをＯＦＦにする。
【００４５】
ここで、記録装置が、ファクシミリの自動受信モードによって受信したときに（Ｓ０）、まず上記フラグを確認する。
【００４６】
フラグがＯＦＦであれば（Ｓ１）、「はがきコピーモード」が解除されているので、受信データを印字する（Ｓ７）。
【００４７】
フラグがＯＮの場合は（Ｓ１）、受信データを印字せずにメモリ（ＲＡＭ）に記憶する（代行受信）（Ｓ２）。
【００４８】
受信終了後、何らかの方法によって「はがきコピーモード」が解除されたときに（Ｓ３）、メモリに記憶されていたデータを印字する（Ｓ４）とともに，フラグをＯＦＦにする（Ｓ５）。
【００４９】
この場合、「はがきコピーモード」の解除によって自動的に受信データを記録してもよい。または受信データ印字のスイッチ等を設け，はがきコピーモードが解除された後に、上記スイッチが押されたことによって、印字動作を行うようにしてもよい。
【００５０】
受信データが正常に印字されたときはメモリにある受信データを消去する。
【００５１】
つまり、上記実施例は、インクジェット方式によって記録を行い、記録紙の移動方向に配列され、インクを吐出する複数のノズルを具備する印字ヘッドを、上記記録紙の移動方向と垂直の方向とに移動し、複数ラインの記録を行い、コピー機能とファクシミリ機能とを有する記録装置において、ファクシミリ受信画像記録用の記録紙とは異なる小サイズの記録紙にコピーを行うように設定する設定手段と、上記記録装置の使用者が上記設定を選択している場合、上記設定が解除されるまでの間にファクシミリを受信すると、受信データを印字せずに記憶手段に記憶し、上記設定が解除された後に、印字を行う制御手段とを有する記録装置の例である。
【００５２】
さらに、第２実施例では、記録装置がファクシミリ受信画像記録用の記録紙とは異なる小サイズの記録紙を用いてコピーを行う設定にある場合は、ファクシミリ通信をエラー終了するようにしたものである。
【００５３】
上記のようにたとえば「はがきコピーモード」が選択されているときに、ファクシミリを受信した場合、ファクシミリの手順においてエラーとして終了する。なお、第１実施例において新たに代行受信しようとしたときに、代行受信またはその他の動作によってに既にメモリに空きがない場合、第２実施例のように通信をエラー終了させるようにしてもよい。
【００５４】
つまり、上記第２実施例は、インクジェット方式によって記録を行い、記録紙の移動方向に配列され、インクを吐出する複数のノズルを具備する印字ヘッドを、上記記録紙の移動方向と垂直の方向とに移動し、複数ラインの記録を行い、コピー機能とファクシミリ機能とを有する記録装置において、ファクシミリ受信画像記録用の記録紙とは異なる小サイズの記録紙にコピーを行うように設定する設定手段と、上記記録装置の使用者が上記設定を選択している場合、上記設定が解除されるまでの間にファクシミリを受信すると、ファクシミリ通信をエラー終了する制御手段とを有する記録装置の例である。
【００５５】
なお、上記各実施例において、小サイズの記録紙の例として「はがきコピーモード」を想定したが、それ以外のサイズ、たとえば「写真コピーモード」等でもよく、また複数のモードを設けるようにしてもよい。
【００５６】
【発明の効果】
請求項１記載の発明によれば、ファクシミリ受信画像記録用の記録紙以外のサイズの記録紙にも記録可能な記録系を有するインクジェット記録方式のファクシミリ装置において、新たに記録紙幅を検出するセンサを設けることなく、すなわちコストを上げることなく、記録部にセットされている記録紙が、ファクシミリ受信画像記録用の記録紙か否かを推定することができ、したがって、ファクシミリ受信画像の記録時に不適切な記録紙がセットされていても、プラテンヘのインクの吐出を防ぐことができ、また、記録部にファクシミリ受信画像の記録に適さないサイズの記録紙がセットされていると推定されたときは、ファクシミリ受信データをメモリに記憶することによって、受信したファクシミリ画像データを失うことがなく、送信側が再度送信を行う必要がないという効果を奏する。
【００５７】
請求項２記載の発明によれば、記録部にファクシミリ受信画像の記録に適さないサイズの記録紙がセットされていると推定したときは、ファクシミリ通信をエラー終了するように構成することによって、送信側で送ったファクシミリが、相手に届いていないことが分り、これは十分なメモリを有していない装置、あるいはメモリの空き容量が十分でない場合に有効であるという効果を奏する。
【図面の簡単な説明】
【図１】本発明の一実施例である記録装置における記録部の構成を示す図である。
【図２】図２図は、上記実施例における記録紙検知手段２０９の一例を表す図である。
【図３】上記実施例である記録装置を示すブロック図である。
【図４】上記実施例である記録装置の動作を示すフローチャートである。
【符号の説明】
２０１…インクカートリッジ部、
２０２…記録ヘッド、
２０７…記録紙、
２０９…記録紙有無検地手段、
３０１…フォトインタラプタ、
４０１…制御部。
【図１】
0004046887.tif 000002
【図２】
0004046887.tif 000003
【図３】
0004046887.tif 000004
【図４】
0004046887.tif 000005